(57)【特許請求の範囲】
【請求項１】
刈取穀稈を脱穀処理する脱穀装置（１）と、脱穀後の穀粒を貯溜するグレンタンク（２）とを走行車体（３）上に搭載し、該グレンタンク（２）は低部に内装軸架した穀粒排出螺旋（４）に向けて傾斜した底板（５）を前記脱穀装置（１）側に位置させて設けると共に、グレンタンク（２）と該グレンタンク（２）の外側に設けた排出用の揚穀筒（６）との間に設けている枢着部（ａ）を回動支点として走行車体（３）の外方に回動できる構成とし、前記穀粒排出螺旋（４）は前記揚穀筒（６）に連通させて設け、前記グレンタンク（２）の傾斜した底板（５）の外側空間に燃料を充填するタンク（７）を装置し、該タンク（７）の給油パイプ（８）を前記揚穀筒（６）とグレンタンク（２）との間に延長して走行車体（３）の外側に臨ませる構成とし、前記揚穀筒（６）にはこの揚穀筒（６）を旋回させる旋回ギヤ（２３）を設け、該旋回ギヤ（２３）の上側に前記給油パイプ（８）の給油口（２２）を位置させて設け、前記給油口（２２）の近傍の給油パイプ（８）には燃料案内板（２９）を設け、該燃料案内板（２９）の下部は揚穀筒（６）の固定部（６ａ）に固着して構成し、前記グレンタンク（２）の後方角部には前部を枢着して開閉自在の化粧板（３４）を設け、該化粧板（３４）には前記給油パイプ（８）の給油口（２２）に相当する位置に開閉自在の給油窓（３５）を形成する構成とし、さらに、走行車体（３）の前部から後部にかけてハーネス（３０）及び送油ホース（３１）を設けるにあたり、前記燃料タンク（７）の上方に案内枠（３２）を設け、該案内枠（３２）に前記ハーネス（３０）及び送油ホース（３１）を収納支持するように構成したことを特徴とするコンバイン。
【発明の詳細な説明】
【０００１】
【発明の属する技術分野】
本発明は、農業機械であるコンバインに関する。
【０００２】
【従来の技術】
従来から、コンバインの燃料タンクは、脱穀装置を構成する後部の揺動選別棚の下方空間を利用して搭載したり、脱穀装置の前部にある穀稈供給口の下方に装置する等の構成が採用されている。
【０００３】
【発明が解決しようとする課題】
上述の従来例は、いずれも走行車体上の狭いスペ−スに燃料タンクを設けており、充填する燃料の量を多くするためにタンクを大型にすると必然的にコンバイン全体が大型にならざるを得ず、コンパクトな設計がきわめて難しい課題となっていた。また、この燃料タンクに設けている給油パイプは、他の装置の邪魔にならない位置を通して走行車体の外側にまで延長することが簡単にできない問題点があった。
【０００４】
【課題を解決するための手段】
本発明は、上述した従来型のもつ課題を解決するために、次の如き技術手段を講ずるものである。すなわち、刈取穀稈を脱穀処理する脱穀装置１と、脱穀後の穀粒を貯溜するグレンタンク２とを走行車体３上に搭載し、該グレンタンク２は低部に内装軸架した穀粒排出螺旋４に向けて傾斜した底板５を前記脱穀装置１側に位置させて設けると共に、グレンタンク２と該グレンタンク２の外側に設けた排出用の揚穀筒６との間に設けている枢着部ａを回動支点として走行車体３の外方に回動できる構成とし、前記穀粒排出螺旋４は前記揚穀筒６に連通させて設け、前記グレンタンク２の傾斜した底板５の外側空間に燃料を充填するタンク７を装置し、該タンク７の給油パイプ８を前記揚穀筒６とグレンタンク２との間に延長して走行車体３の外側に臨ませる構成とし、前記揚穀筒６にはこの揚穀筒６を旋回させる旋回ギヤ２３を設け、該旋回ギヤ２３の上側に前記給油パイプ８の給油口２２を位置させて設け、前記給油口２２の近傍の給油パイプ８には燃料案内板２９を設け、該燃料案内板２９の下部は揚穀筒６の固定部６ａに固着して構成し、前記グレンタンク２の後方角部には前部を枢着して開閉自在の化粧板３４を設け、該化粧板３４には前記給油パイプ８の給油口２２に相当する位置に開閉自在の給油窓３５を形成する構成とし、さらに、走行車体３の前部から後部にかけてハーネス３０及び送油ホース３１を設けるにあたり、前記燃料タンク７の上方に案内枠３２を設け、該案内枠３２に前記ハーネス３０及び送油ホース３１を収納支持するように構成したことを特徴とするコンバインとしたものである。
【０００５】
【発明の実施の形態】
まず、その構成について述べる。
コンバイン９は、クロ−ラ１０を設けた走行車体３上に脱穀装置１を搭載し、その前方には刈取前処理装置１１を設けて構成している。そして、クロ−ラ１０は、乾田は勿論、湿田においても走行車体３を沈下させずに走行できるようにゴム材を用いて広幅無端帯に構成している。また、脱穀装置１は、フィ−ドチエンによって穀稈を搬送しながら上側の扱室で脱穀し、下側の選別室で選別処理する構成としている。
【０００６】
なお、１２は一番揚穀筒を示し、１３は二番揚穀筒を示す。
刈取前処理装置１１は、前側から分草杆１４、穀稈引起し装置１５、刈取装置１６、穀稈搬送装置１７を一体的に組み合わせて設け、圃場の穀稈を刈取って脱穀装置１にまで搬送して供給する構成としている。なお、１８は引起しラグである。
【０００７】
グレンタンク２は、周囲を囲った箱型の形状とし、前述した脱穀装置１の側方に位置させて走行車体３上に搭載している。そして、このグレンタンク２は、その上部に前述した脱穀装置１の一番揚穀筒１２の先端を開口して連通し、脱穀選別した穀粒が搬送されて供給されるように構成している。更に、グレンタンク２は、低部に穀粒排出螺旋４を軸装し、その螺旋４の一端をタンク外に延長して揚穀筒６に内装軸架している揚穀螺旋１９の始端部に連結させている。
【０００８】
底板５は、図３に示すように、グレンタンク２の底にあって、排出時にタンク２内の穀粒を穀粒排出螺旋４に流下できるように下方に向けて傾斜させて設けている。そして、グレンタンク２は、底板５を脱穀装置１側に位置して搭載し、更に、従来同様、メンテナンスを容易にするために、枢着部ａを回動支点として走行車体３の外方に回動できるオ−プン方式の構成にしている。
【０００９】
つぎに、燃料タンク７は、上記底板５の外側下方と脱穀装置１との間にできた前後方向に長い空間部を利用して装置し、充填した燃料を前側に搭載しているエンジン２０に供給できる構成としている。そして、給油パイプ８は、基部を燃料タンク７に取り付けて側方で上方に延長し、揚穀筒６とグレンタンク２との間の空間部分を通して走行車体３の外側にまで延長して設けている。２１は給油パイプ８のキャップである。
【００１０】
そして、給油パイプ８は、図２に示すように、先端のキャップ２１をしている給油口２２を旋回ギヤ２３の上側に位置させて設け、給油時に落下した燃料をその旋回ギヤ２３によって受け止めできる関係位置に配置して構成している。
なお、旋回ギヤ２３は、モ−タ２４に設けた駆動ギヤ２５に噛合し、操作指令に基づいて正逆回転されるモ−タ２４によって回転されて揚穀筒６を旋回し穀粒の排出位置を選択できる構成としている。
【００１１】
更に、上部排出筒２６は、基部を揚穀筒６の上部に回動自由に枢着し、油圧シリンダ２７によって上下方向に移動調節できる構成としている。
２８は移送螺旋である。
つぎに、給油パイプ８は、図５、図６に示すように、先端の給油口２２に近い首部に赤ちゃんのよだれかけに類似する燃料案内板２９を取付け、その燃料案内板２９の下部を揚穀筒６の固定部６ａに固着している。
【００１２】
つぎに、制御機構や照明装置を構成するハ−ネス３０と油圧機構を構成する送油ホ−ス３１の配置について説明する。ハ−ネス３０と送油ホ−スは、図７と図８に示すように、走行車体３の前部から後部に配線（配管）するにあたり、前記燃料タンク７の上側空間を迂回して配置している。すなわち、案内枠３２は、ハ−ネス３０や送油ホ−ス３１を収納できる断面凹型に形成し、両端部分を走行車体３の床面に固着し中間部を燃料タンク７の上側を迂回させた支持パイプ３３に固着して構成している。このように構成しておけば、ハ−ネス３０や送油ホ−ス３１は、燃料タンク７の上方を迂回して断面凹型の案内枠３２に収納支持しているから、安全で、確実に通電や送油ができると共に、メンテナンスにあたってもグレンタンク２をオ−プンすればきわめて容易に行なうことができる。
【００１３】
つぎに、図９、図１０に示す構成例は、グレンタンク２の後方角部において、化粧板３４の前部を枢着して開閉自由のカバ−とし、装置の美観を損なわないように構成したものである。そして、化粧板３４は、前記給油パイプ８の給油口２２に相当する位置に開閉自由の給油窓３５を形成し、給油作業が便利にできる構成としている。
【００１４】
したがって、化粧板３４は、後方角部のメンテナンスにあたっては全体を開放して行い、給油作業のみを行うときには給油窓３５を開けばよい。
つぎに本発明の実施の形態について、その作用を説明する。
まず、エンジン２０は、燃料タンク７から供給される燃料を消費して始動し、回転各部を伝動する。
【００１５】
すると、走行車体３は、クロ−ラ１０が駆動されて稲の植っている圃場を前進し、刈取前処理装置１１は、前進にともなって分草杆１４、穀稈引起し装置１５がそれぞれ機能し、刈取装置１６が刈り取った穀稈を穀稈搬送装置１７が後方上方の脱穀装置１に搬送して供給する。つぎに、脱穀装置１は、供給された穀稈を脱穀、選別して一番揚穀筒１２からグレンタンク２に穀粒を搬送して供給する。
【００１６】
そして、グレンタンク２は、刈取脱穀作業が進につれて、順次搬送されて供給される穀粒を収納し、貯溜するものである。
このような作業中において、コンバイン９は、刈取前処理装置１１に比較して脱穀装置１の軽量化が進んでいるからともすれば前バランスになっているが後部位置に燃料タンク７を設けているから前後バランスが均衡されて安定した走行ができる。更に、燃料タンク７は、周囲が囲われているから直接障害物に衝突したり、外力がかかることも無く、安全に防護できる利点がある。
【００１７】
ただ、本発明の構成で留意すべき点は、グレンタンク３のオ−プンに際して枢着部ａを支点に回動したとき、その枢着部ａの近傍位置の開放部分に給油パイプ８の給油口２２からこぼれた燃料が流れ込んで穀粒に混じることである。
しかし、図５、図６に示す構成は、給油口２２からこぼれ落ちた燃料を、よだれかけに相当する燃料案内板２９が上記開放部から離れた位置に案内して穀粒に混入することを防止している。また、旋回ギヤ２３は、図２に示すように、こぼれ落ちてきた燃料を直接下方に流下させないでさえぎることができるから穀粒への混入を防止できる。
【００１８】
【発明の効果】
以上説明したように本発明は、刈取穀稈を脱穀処理する脱穀装置１と、脱穀後の穀粒を貯溜するグレンタンク２とを走行車体３上に搭載し、該グレンタンク２は低部に内装軸架した穀粒排出螺旋４に向けて傾斜した底板５を前記脱穀装置１側に位置させて設けると共に、グレンタンク２と該グレンタンク２の外側に設けた排出用の揚穀筒６との間に設けている枢着部ａを回動支点として走行車体３の外方に回動できる構成とし、前記穀粒排出螺旋４は前記揚穀筒６に連通させて設け、前記グレンタンク２の傾斜した底板５の外側空間に燃料を充填するタンク７を装置し、該タンク７の給油パイプ８を前記揚穀筒６とグレンタンク２との間に延長して走行車体３の外側に臨ませる構成とし、前記揚穀筒６にはこの揚穀筒６を旋回させる旋回ギヤ２３を設け、該旋回ギヤ２３の上側に前記給油パイプ８の給油口２２を位置させて設け、前記給油口２２の近傍の給油パイプ８には燃料案内板２９を設け、該燃料案内板２９の下部は揚穀筒６の固定部６ａに固着して構成し、前記グレンタンク２の後方角部には前部を枢着して開閉自在の化粧板３４を設け、該化粧板３４には前記給油パイプ８の給油口２２に相当する位置に開閉自在の給油窓３５を形成する構成とし、さらに、走行車体の前部から後部にかけてハーネス３０及び送油ホース３１を設けるにあたり、前記燃料タンク７の上方に案内枠３２を設け、該案内枠３２に前記ハーネス３０及び送油ホース３１を収納支持するように構成したものであるからグレンタンク２を構成する傾斜した底板５の外側下方において、前後方向に広がる空間部分を利用して燃料タンク７を装置でき、更に、グレンタンク２と揚穀筒６との間にある空間部には給油パイプ８を延長して走行車体３の外側に臨ませたものであって、特別の配置空間を設けずに既存の空間部を有効に活用して燃料タンク７と給油パイプ８の位置を確保できる優れた特徴を有する。また、給油口２２からこぼれた燃料を旋回ギヤ２３で受け止めると共に、給油口２２から給油パイプ８を経由して流れてきた燃料は、燃料案内板２９で止められて揚穀筒６の固定部６ａへと案内される。従って、グレンタンク３を枢着部ａを回動支点として外側に回動させても、枢着部ａの近傍位置の開放部分から燃料が流れ込んで穀粒に混じることを防止できるようになる。さらに、燃料タンク７の上方に案内枠３２を設け、この案内枠３２にハーネス３０及び送油ホース３１を収納支持するようにしているので、安全に通電や送油が可能となる。また、グレンタンク２を回動させることで、ハーネス３０や送油ホース３１のメンテナンスが容易に可能となる。
【００１９】
したがって、コンバインは、本発明の技術により全体がコンパクトな設計となり、給油もきわめて容易となったものである。
【図面の簡単な説明】
【図１】本発明の一実施例であって、一部を破断した要部側面図である。
【図２】本発明の一実施例であって、平面図である。
【図３】本発明の一実施例であって、背面図である。
【図４】本発明の一実施例であって、全体側面図である。
【図５】本発明の一実施例であって、平面図である。
【図６】本発明の一実施例であって、側面図である。
【図７】本発明の一実施例であって、切断背面図である。
【図８】本発明の一実施例であって、側面図である。
【図９】本発明の一実施例であって、側面図である。
【図１０】本発明の一実施例であって、作用平面図である。
【符号の説明】
１    脱穀装置        ２    グレンタンク        ３    走行車体
４    穀粒排出螺旋    ５    底板                ６    揚穀筒
６ａ 固定部          ７    タンク（燃料）      ８    給油パイプ
２２ 給油口 ２３   旋回ギヤ ２９ 燃料案内板
３０ ハーネス ３１ 送油ホース ３２ 案内枠
３４ 化粧板 ３５ 給油窓 ａ 枢着部
【図１】
0003750181.tif 000002
【図２】
0003750181.tif 000003
【図３】
0003750181.tif 000004
【図４】
0003750181.tif 000005
【図５】
0003750181.tif 000006
【図６】
0003750181.tif 000007
【図７】
0003750181.tif 000008
【図８】
0003750181.tif 000009
【図９】
0003750181.tif 000010
【図１０】
0003750181.tif 000011